(57)【要約】【課題】サイネージ端末に表示されているコンテンツに連動させて、手間をかけずに簡単にコンテンツを更新する。【解決手段】本開示の入力装置は、サイネージ端末のコンテンツの表示に連動してコンテンツの変更を行う入力装置であって、サイネージ端末に表示されているコンテンツに対して変更指示を入力する変更指示部と、サイネージ端末を特定する機器ＩＤと変更指示とを送信する送信部と、を備える。これにより、手間をかけずに簡単にコンテンツを更新できる。【選択図】図１
2015088170.tif 000002
【特許請求の範囲】
【請求項１】
サイネージ端末のコンテンツの表示に連動してコンテンツの変更を行う入力装置であって、
前記サイネージ端末に表示されているコンテンツに対して変更指示を入力する変更指示部と、
前記サイネージ端末を特定する機器ＩＤと前記変更指示とを送信する送信部と、を備える、入力装置。
【請求項２】
サイネージ端末のコンテンツの表示に連動して、入力装置の前記サイネージ端末に表示されているコンテンツに対する変更指示を制御するサイネージサーバであって、
前記入力装置から前記サイネージ端末を特定する機器ＩＤと変更指示を受信する受信部と、
前記機器ＩＤと前記変更指示から、変更対象となるコンテンツを特定するコンテンツ特定部と、
前記変更指示に基づいて、前記コンテンツ特定部で特定したコンテンツに対して、変更箇所を特定する更新箇所特定部と、
前記変更箇所に基づいてコンテンツを変更する更新部と、
前記変更したコンテンツを配信する配信部と、を備える、サイネージサーバ。
【請求項３】
項目とキーワードを対応づけたキーワードテーブルをさらに備え、
前記コンテンツは、配置領域と前記配置領域に配置する項目で定義されるテンプレートで構成され、
前記更新箇所特定部は、前記キーワードテーブルのキーワードの中から前記変更指示に合致するキーワードを特定し、対応する項目を決定することで、前記コンテンツ特定部で特定したコンテンツに対して、変更箇所を特定する、
請求項２に記載のサイネージサーバ。
【請求項４】
前記変更指示は、音声であり、
前記変更指示をテキスト情報に変換する認識処理部を、さらに備える、
請求項２に記載のサイネージサーバ。
【請求項５】
前記変更指示は、音声と画像データであり、
前記変更指示の音声をテキスト情報に変換する認識処理部を、さらに備え、
前記テンプレートは、第１の配置領域と前記第１の配置領域に配置するテキスト用の項目と、第２の配置領域と前記第２の配置領域に配置する画像用の項目との組で構成され、
前記更新箇所特定部は、前記キーワードテーブルのキーワードの中から前記認識処理部で変換したテキストと合致するキーワードを特定し、対応するテキスト用の項目を決定し、前記コンテンツ特定部で特定したコンテンツに対して、変更箇所を特定する、
請求項３に記載のサイネージサーバ。
【請求項６】
前記変更指示は、画像データであり、前記画像データはタグを含み、
前記更新箇所特定部は、前記キーワードテーブルのキーワードの中から前記タグと合致するキーワードを特定し、対応する項目とを決定することで、前記コンテンツ特定部で特定したコンテンツに対して、変更箇所を特定する、
請求項３に記載のサイネージサーバ。
【請求項７】
前記更新箇所特定部は、前記コンテンツ特定部で特定したコンテンツに対して、複数の変更箇所の候補を抽出し、前記入力装置に前記複数の変更箇所の候補から１つを特定するための確認を行う、
請求項２に記載のサイネージサーバ。
【請求項８】
サイネージ端末のコンテンツの表示に連動してコンテンツの変更を行う入力プログラムであって、
前記サイネージ端末に表示されているコンテンツに対して変更指示を入力する変更指示ステップと、
前記サイネージ端末を特定する機器ＩＤと前記変更指示とを送信する送信ステップと、を備える、入力プログラム。
【発明の詳細な説明】
【技術分野】
【０００１】
本開示は、サイネージ表示装置に表示される広告情報を更新する、入力装置、サイネージサーバ及び入力プログラムに関する。
【背景技術】
【０００２】
デジタルサイネージの利用は、大規模施設だけではなく、店舗などの小規模施設でも増えてきている。店舗のデジタルサイネージでは、次々とおすすめ商品を紹介していくような、スライドショーのように複数の画面を次々に変えて顧客に情報を提示することが多くなっている。
【０００３】
特許文献１には、携帯端末は、表示装置に表示されているコンテンツの撮影画像と、撮影時点における位置及び時刻を含む要求メッセージをコンテンツ配信サーバへ送り、コンテンツ配信サーバは、受信した位置に存在する表示装置を検索し、受信した時刻に受信した画像に類似するコンテンツを検索し、コンテンツを表示している表示装置を特定する方法が開示されている。
【先行技術文献】
【特許文献】
【０００４】
【特許文献１】特開２０１１−７６３３６号公報
【発明の概要】
【発明が解決しようとする課題】
【０００５】
小規模施設においては、デジタルサイネージの広告情報の更新は専門のオペレータが行うのではなく、店舗従業員自らが行う場合がほとんどである。
【０００６】
また、広告情報の更新は、タイムセール、売り切れなどによる商品変更など、店舗営業中に必要となることが多い。
【０００７】
そこで店舗営業中、店舗従業員がどの広告情報のどの部分を更新したいかを指定する等の手間をかけることなく、簡単に広告情報を更新したい。
【０００８】
本開示は、表示装置に表示されているコンテンツの内容を確認しながら、表示内容を簡単に変更する情報更新装置を提供する。
【課題を解決するための手段】
【０００９】
本開示に係る入力装置は、サイネージ端末のコンテンツの表示に連動してコンテンツの変更を行う入力装置であって、サイネージ端末に表示されているコンテンツに対して変更指示を入力する変更指示部と、サイネージ端末を特定する機器ＩＤと変更指示とを送信する送信部と、を備える。
【発明の効果】
【００１０】
本開示に係る入力装置は、サイネージ端末に表示された広告情報に連動して、広告情報を簡単に変更することができる。
【図面の簡単な説明】
【００１１】
【図１】図１は、実施の形態１に係るサイネージシステムのブロック図である。
【図２】図２は、実施の形態１に係るサイネージ端末における広告情報の表示の一例を示す図である。
【図３】図３は、図２の広告情報のデータ構造を説明する図である。
【図４】図４は、実施の形態１に係るテンプレートＤＢの一例を示す図である。
【図５】図５は、実施の形態１に係る業種別ＤＢの一例を示す図である。
【図６】図６は、実施の形態１に係るコンテンツＤＢの一例を示す図である。
【図７】図７は、実施の形態１に係る機器管理ＤＢの一例を示す図である。
【図８】図８は、実施の形態１に係るサイネージ端末における広告情報の表示処理のフローチャートである。
【図９】図９は、実施の形態１に係る広告情報のコンテンツの更新を説明する図である。
【図１０】図１０は、実施の形態１に係る広告情報のコンテンツの更新の処理を簡単に説明する図である。
【図１１】図１１は、実施の形態１に係るコンテンツ特定部の処理を示すフローチャートである。
【図１２】図１２は、実施の形態１に係る更新箇所特定部の処理を示すフローチャートである。
【図１３】図１３は、実施の形態１に係るキーワードテーブルの一例を示す図である。
【図１４】図１４は、実施の形態１に係る更新部の処理を示すフローチャートである。
【図１５】図１５は、実施の形態２に係る広告情報のコンテンツの更新を説明する図である。
【図１６】図１６は、実施の形態２に係る広告情報のコンテンツの更新の処理を簡単に説明する図である。
【図１７】図１７は、実施の形態３に係る広告情報のコンテンツの更新を説明する図である。
【図１８】図１８は、実施の形態３に係る広告情報のコンテンツの更新の処理を簡単に説明する図である。
【図１９】図１９は、実施の形態４に係る広告情報のコンテンツの更新を説明する図である。
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、出願人は、当業者が本開示を十分に理解するために添付図面および以下の説明を提供するのであって、これらによって特許請求の範囲に記載の主題を限定することを意図するものではない。
【００１４】
以下、本開示の実施の形態について、図面を参照しながら説明する。
【００１５】
＜実施の形態１＞
以下、本実施の形態に係るサイネージシステムについて説明する。
［１―１．サイネージシステムの構成］
図１は、本実施の形態に係るサイネージシステムのブロック図である。
【００１６】
サイネージシステム１００は、店舗従業員が広告情報の変更指示を行う入力装置１０１と、広告情報の変更を受け付け、サイネージのコンテンツに変更情報を反映するサイネージサーバ１０２と、サイネージのコンテンツを受信し、表示するサイネージ端末１０３で構成される。入力装置１０１は、スマートフォン等の携帯機器である。
【００１７】
入力装置１０１は、変更指示部１０４と送信部１０５を含む。変更指示部１０４は、マイクから音声による変更指示、タッチパネルから文字入力による変更指示等の機能である。送信部１０５は、変更指示をサイネージサーバ１０２へ送信する。
【００１８】
変更指示部１０４は、例えば、液晶ディスプレイのような表示装置と、所定の処理を実行するプロセッサにより実現される。送信部１０５は、例えば、無線或いは有線の通信装置と、所定の処理を実行するプロセッサにより実現される。
【００１９】
サイネージサーバ１０２は、入力装置１０１から広告情報の変更指示を受け付ける受信部１０６と、広告情報の変更指示がどのコンテンツであるかを特定するコンテンツ特定部１０７と、広告情報の変更指示の内容が音声の場合、テキストに変換し、テキストからキーワードを抽出、広告情報の変更指示の内容がテキストである場合は、テキストからキーワードを抽出する認識処理部１０８と、コンテンツ特定部１０７で特定したコンテンツと認識処理部１０８で抽出したキーワードから更新箇所を特定する更新箇所特定部１０９と、特定した更新箇所を更新する更新部１１０と、サイネージ端末１０３へコンテンツを配信する配信部１１１と、サイネージ端末１０３へ広告情報であるコンテンツの配信スケジュールを管理するスケジュール管理部１１２と、広告情報の種別ごとにコンテンツの表示形式を定義するテンプレートを管理するテンプレートＤＢ１１３と、広告情報の種別ごとのテンプレートで利用できるテキスト用の項目を管理する業種別ＤＢ１１４と、コンテンツと、コンテンツの再生順序を規定するプレイリストを管理するコンテンツＤＢ１１５と、広告情報を表示するサイネージ端末１０３を特定するための機器情報を管理する機器管理ＤＢ１１６と、広告情報の種別ごとのテンプレートで利用できるテキスト用の項目と業種別の広告情報で使われるキーワードを対応づけたキーワードテーブル１１７で構成される。
【００２０】
受信部１０６と配信部１１１は、例えば、無線或いは有線の通信装置と、所定の処理を実行するプロセッサにより実現される。コンテンツ特定部１０７、認識処理部１０８、更新箇所特定部１０９、更新部１１０、スケジュール管理部１１２は、所定の処理を実行するプロセッサにより実現される。これら機能は、１つのプロセッサで実現してもよいし、複数のプロセッサで分担して実現してもよい。テンプレートＤＢ１１３、業種別ＤＢ１１４、コンテンツＤＢ１１５、機器管理ＤＢ１１６、キーワードテーブル１１７は、例えば、光学的読み取り式或いは磁気的読み取り式による記録媒体により実現される。
【００２１】
サイネージ端末１０３は、サイネージサーバ１０２からコンテンツを受信し、受信したコンテンツを表示する表示部１１８を含む。
【００２２】
表示部１１８は、例えば、無線或いは有線の通信装置と、液晶ディスプレイのような表示装置と、所定の処理を実行するプロセッサにより実現される。
［１―２．広告情報の構造］
図２は、サイネージ端末１０３における広告情報の表示の一例を示す図である。広告情報は、電器店の広告であり、広告情報であるコンテンツが順に表示される。コンテンツＣ１は、電器店の広告であることを示す「パナ電器」、「いつもありがとうございます」の文字が表示され、「店員」や「店舗の外観」が画像で表示されている。コンテンツＣ１は、例えば、２０秒表示される。コンテンツＣ１の次にコンテンツＣ２が表示される。コンテンツＣ２は、電器店の商品であるデジタルカメラの広告であり、「イチオシ商品」、「人気モデル！」、「デジタルカメラＬｕｎａＸ」、「特価￥２２，３００」の文字が表示され、「デジタルカメラ」が写真で表示されている。コンテンツＣ２は、例えば、１０秒表示される。コンテンツＣ２の次にコンテンツＣ３が表示される。コンテンツＣ３は、電器店の商品である乾電池の広告であり、「イチオシ商品」、「限定カラー登場！」、「ＥＣＯＶＯＬＴ」、「単三８個パック￥１，８００」の文字が表示され、「乾電池」が画像で表示されている。コンテンツＣ３は、例えば、１０秒表示される。コンテンツＣ３の次にコンテンツＣ４が表示される。コンテンツＣ４はコンテンツＣ２と同じ表示内容である。コンテンツＣ４は、例えば、１０秒表示される。コンテンツＣ４の次にコンテンツＣ５が表示される。コンテンツＣ５はコンテンツＣ３と同じ表示内容である。コンテンツＣ５は、例えば、１０秒表示される。
【００２３】
次に、広告情報であるコンテンツのデータ構造について、図２のコンテンツの一例を用いて説明する。図３は、図２の広告情報であるコンテンツのデータ構造を説明する図である。コンテンツＣ１、Ｃ２、Ｃ３、Ｃ４、Ｃ５はテンプレートＤＢ１１３で管理されるテンプレートを用いて構成される。コンテンツＣ１は、ｔｅｍｐｌａｔｅ＿ｉｄが「ｔｅ１１」のテンプレートが利用され、コンテンツＣ２、Ｃ３、Ｃ４、Ｃ５は、ｔｅｍｐｌａｔｅ＿ｉｄが「ｔｅ１２」のテンプレートが利用されている。テンプレートは、配置領域を示す矩形と、矩形の中のテキスト用の項目や画像用の項目で構成されている。テンプレート「ｔｅ１１」は、「タイトル」、「挨拶」、「人物」、「店頭風景」の配置領域がある。テンプレート「ｔｅ１２」は、「タイトル」、「商品説明」、「商品名」、「価格」、「商品」の配置領域がある。テンプレート「ｔｅ１１」、「ｔｅ１２」の矩形の中に示された種類のうち、テキスト用の項目は、業種別ＤＢ１１４で管理されている。「電器店の広告」で利用できるテキスト用の項目として、タイトル、挨拶、商品名、商品説明、価格がテキスト用の項目として管理されている。従って、テンプレート「ｔｅ１１」のうち、「タイトル」、「挨拶」が示されている矩形はテキスト用であり、それ以外の「人物」、「店頭風景」はテキスト用以外で画像用である。テンプレート「ｔｅ１２」のうち、「タイトル」、「商品説明」、「商品名」、「価格」が示されている矩形はテキスト用であり、それ以外の「商品」はテキスト以外で画像用である。
【００２４】
図４は、本実施の形態に係るテンプレートＤＢ１１３の一例を示す図である。テンプレートＤＢ１１３は、広告情報の種別ごとにコンテンツの表示形式を定義するテンプレートを管理している。テンプレートＤＢ１１３は、「電器店の広告」用のテンプレート４０１、「オフィス掲示板」用のテンプレート４０２、「会議室案内」用のテンプレート４０３を管理している。テンプレートは、配置領域を示す矩形と、矩形の中のテキスト用の項目や画像用の項目で構成されている。「電器店の広告」用のテンプレート４０１は、図３で説明した、ｔｅｍｐｌａｔｅ＿ｉｄ「ｔｅ１１」、「ｔｅ１２」を定義している。「オフィス掲示板」用のテンプレート４０２は、ｔｅｍｐｌａｔｅ＿ｉｄ「ｔｅ２１」、「ｔｅ２２」を定義している。テンプレート「ｔｅ２１」は、「タイトル」、「掲載日」、「連絡事項」の配置領域がある。テンプレート「ｔｅ２２」は、「タイトル」、「掲載日」、「連絡事項」、「写真」の配置領域がある。「会議室案内」用のテンプレート４０３は、ｔｅｍｐｌａｔｅ＿ｉｄ「ｔｅ３１」、「ｔｅ３２」を定義している。テンプレート「ｔｅ３１」は、「タイトル」、「日時」、「場所」、「会議名」の配置領域がある。テンプレート「ｔｅ３２」は、「タイトル」、「会議名」、「日時」、「場所」、「議題」の配置領域がある。
【００２５】
図５は、本実施の形態に係る業種別ＤＢ１１４の一例を示す図である。業種別ＤＢ１１４は、テンプレートＤＢ１１３で管理されている、広告情報の種別ごとのテンプレートで利用できるテキスト用の項目を管理する。業種別ＤＢ１１４は、「電器店の広告」で利用できるテキスト用の項目５０１、「オフィス掲示板」で利用できるテキスト用の項目５０２、「会議室案内」で利用できるテキスト用の項目５０３を管理している。「電器店の広告」で利用できるテキスト用の項目５０１として、タイトル、挨拶、商品名、商品説明、価格が管理されている。「オフィス掲示板」で利用できるテキスト用の項目５０２として、タイトル、連絡事項、掲載日が管理されている。「会議室案内」で利用できるテキスト用の項目５０３として、タイトル、日時、場所、会議名、議題が管理されている。
【００２６】
図６は、本実施の形態に係るコンテンツＤＢ１１５の一例を示す図である。図６のコンテンツＤＢ１１５を、図２の広告情報のコンテンツに対する一例として説明する。コンテンツＤＢ１１５は、サイネージ端末１０３を特定する機器ＩＤ６０１とコンテンツの再生順序を規定するプレイリスト６０２を組で管理されている。機器ＩＤ６０１は、機器管理ＤＢ１１６で管理されているサイネージ端末１０３を特定するＩＤで、機器ＩＤ６０１は、「ＡＡＢＢ」である。プレイリスト６０２は、図２の広告情報のコンテンツの一例であり、再生順序として、コンテンツＣ１、Ｃ２、Ｃ３、Ｃ４、Ｃ５の順で規定されている。コンテンツはそれぞれ、コンテンツの表示の開始時間を示すＳｔａｒｔ＿ｔｉｍｅ、コンテンツの表示の継続時間を示すＤｕｒａｔｉｏｎ、コンテンツを特定するＣｏｎｔｅｎｔ＿ｉｄが定義されている。Ｃｏｎｔｅｎｔ＿ｉｄは、以降、コンテンツＩＤと表現することもある。
【００２７】
コンテンツＣ１は、Ｓｔａｒｔ＿ｔｉｍｅが毎時「８：３０」すなわち毎時８分３０秒、Ｄｕｒａｔｉｏｎが「２０」秒、Ｃｏｎｔｅｎｔ＿ｉｄは「１００」と定義されている。Ｃｏｎｔｅｎｔ＿ｉｄ「１００」は、テンプレートＤＢ１１３のｔｅｍｐｌａｔｅ＿ｉｄが「ｔｅ１１」を利用しており、テンプレート「ｔｅ１１」の矩形の中に示された項目「タイトル」に対してテキスト「パナ電器」が対応づけられており、項目「挨拶」に対してテキスト「いつもご利用ありがとうございます」が対応づけられており、項目「人物」に対して画像「ＩＤ１２３４．ｊｐｇ」が対応づけられており、項目「店頭風景」に対して画像「Ｐａｎａ１．ｊｐｇ」が対応づけられて定義されている。コンテンツＣ２は、Ｓｔａｒｔ＿ｔｉｍｅが「８：５０」すなわち毎時８分５０秒、Ｄｕｒａｔｉｏｎが「１０」秒、Ｃｏｎｔｅｎｔ＿ｉｄは「１０１」と定義されている。Ｃｏｎｔｅｎｔ＿ｉｄ「１０１」は、テンプレートＤＢ１１３のｔｅｍｐｌａｔｅ＿ｉｄが「ｔｅ１２」を利用しており、テンプレート「ｔｅ１２」の矩形の中に示された項目「タイトル」に対してテキスト「イチオシ商品」が対応づけられており、項目「商品説明」に対してテキスト「人気モデル！」が対応づけられており、項目「商品名」に対してテキスト「デジタルカメラＬｕｎａＸ」が対応づけられており、項目「価格」に対してテキスト「特価￥２２，３００」が対応づけられており、項目「商品」に対して画像「ＬｕｎａＸ．ｊｐｇ」が対応づけられて定義されている。コンテンツＣ３は、Ｓｔａｒｔ＿ｔｉｍｅが「９：００」すなわち毎時９分００秒、Ｄｕｒａｔｉｏｎが「１０」秒、Ｃｏｎｔｅｎｔ＿ｉｄは「１０２」と定義されている。Ｃｏｎｔｅｎｔ＿ｉｄ「１０２」は、テンプレートＤＢ１１３のｔｅｍｐｌａｔｅ＿ｉｄが「ｔｅ１２」を利用しており、テンプレート「ｔｅ１２」の矩形の中に示された項目「タイトル」に対してテキスト「イチオシ商品」が対応づけられており、項目「商品説明」に対してテキスト「限定カラー登場！」が対応づけられており、項目「商品名」に対してテキスト「ＥＣＯＶＯＬＴ」が対応づけられており、項目「価格」に対してテキスト「単三８個パック￥１，８００」が対応づけられており、項目「商品」に対して画像「Ｅｃｏｖｏｌｔ．ｊｐｇ」が対応づけられて定義されている。コンテンツＣ４は、Ｓｔａｒｔ＿ｔｉｍｅが「９：１０」すなわち毎時９分１０秒、Ｄｕｒａｔｉｏｎが「１０」秒、Ｃｏｎｔｅｎｔ＿ｉｄは「１０１」と定義されている。Ｃｏｎｔｅｎｔ＿ｉｄ「１０１」は、上述したように定義されている。コンテンツＣ５は、Ｓｔａｒｔ＿ｔｉｍｅが「９：２０」すなわち毎時９分２０秒、Ｄｕｒａｔｉｏｎが「１０」秒、Ｃｏｎｔｅｎｔ＿ｉｄは「１０２」と定義されている。Ｃｏｎｔｅｎｔ＿ｉｄ「１０２」は、上述したように定義されている。
【００２８】
図７は、本実施の形態に係る機器管理ＤＢ１１６の一例を示す図である。機器管理ＤＢ１１６は、サイネージ端末１０３を特定するために、機器ＩＤに、サイネージ端末１０３の論理アドレスを特定するためのＩＰアドレスとサイネージ端末１０３の物理アドレスを特定するためのＭＡＣアドレスを対応づけて管理している。一例として、機器ＩＤ「ＡＡＢＢ」は、ＩＰアドレスが「１９０．１４０．０．２」、ＭＡＣアドレスが「０３−ＡＡ−４５−４Ｇ−３２−１２」が対応づけられ、機器ＩＤ「ＹＹＺＺ」は、ＩＰアドレスが「１９０．１３２．１．３」、ＭＡＣアドレスが「４４−ＡＦ−３２−４５−１２−００」が対応づけられて定義されている。
［１―３．広告情報の表示］
次に、サイネージサーバ１０２から広告情報であるコンテンツをサイネージ端末１０３へ配信し、そのコンテンツをサイネージ端末１０３で表示する動作を説明する。
【００２９】
サイネージ端末１０３は、サイネージサーバ１０２の配信部１１１から配信されたコンテンツを表示部１１８に表示する。
【００３０】
スケジュール管理部１１２は、定期的にあるいは必要に応じて表示に必要なコンテンツを配信する指示を配信部１１１へ送る。例えば、１日１回、配信する日に表示するコンテンツをまとめて、配信部１１１を介して、サイネージ端末１０３に配信する。
【００３１】
サイネージ端末１０３の特定は、コンテンツＤＢ１１５の機器ＩＤ６０１を用いる。配信部１１１は配信を行う際に、機器管理ＤＢ１１６の機器ＩＤに対応するＩＰアドレスとＭＡＣアドレスを用いて配信先のサイネージ端末１０３を特定する。
【００３２】
図８は、本実施の形態に係るサイネージ端末１０３における広告情報の表示処理のフローチャートである。配信部１１１から配信されるコンテンツをサイネージ端末１０３が受信し、それを表示部１１８で表示する処理を、図８を用いて説明する。
【００３３】
（Ｓ８０１）表示部１１８は、配信部１１１より広告情報であるコンテンツとして、コンテンツＤＢ１１５のプレイリスト６０２を受信し、サイネージ端末１０３の図示しないキャッシュメモリにキャッシュする。
【００３４】
（Ｓ８０２）表示部１１８は、現在時刻とプレイリストのコンテンツの表示の開始時間を示すＳｔａｒｔ＿ｔｉｍｅを比較し、表示対象とするコンテンツのコンテンツＩＤを特定する、例えば、プレイリスト６０２が図２の広告情報のコンテンツであり、現在時刻が、１０：００：００である場合、表示対象は、コンテンツＣ１、すなわち、コンテンツＩＤ「１００」である。
【００３５】
（Ｓ８０３）表示部１１８は、コンテンツの表示の開始時間である１０：０８：３０までに、特定したコンテンツＩＤ「１００」に対応するコンテンツをサイネージ端末１０３のキャッシュメモリからロードし、コンテンツの表示の開始時間である１０：０８：３０に表示を開始する。
【００３６】
（Ｓ８０４）表示部１１８は、配信部１１１の次の配信の時刻になったかどうかを確認し、次の配信時刻になった場合（Ｙｅｓの場合）は、処理を終了し、次の配信時刻になっていない場合（Ｎｏの場合）は、Ｓ８０５へ進む。
【００３７】
（Ｓ８０５）表示部１１８は、現在表示しているコンテンツＩＤの表示の開始時間にコンテンツの表示の継続時間Ｄｕｒａｔｉｏｎを追加した時刻Ｔと現在時刻を比較する。時刻Ｔが現在時刻を過ぎている場合（Ｙｅｓの場合）は、Ｓ８０２へ戻り、時刻Ｔが現在時刻になっていない場合（Ｎｏの場合）は表示を継続し、再度Ｓ８０５へ戻る。時刻Ｔが現在時刻を過ぎている場合（Ｙｅｓの場合）は、Ｓ８０２に戻って、次のコンテンツであるコンテンツＣ２を表示する。
【００３８】
以上のように、サイネージ端末１０３において、広告情報のコンテンツが表示される。
［１―４．広告情報の更新］
次に、サイネージ端末１０３に表示されている広告情報のコンテンツを、入力装置１０１を用いて更新する処理を説明する。
【００３９】
図９は、本実施の形態に係る広告情報のコンテンツの更新を説明する図である。図９は、図２で説明した広告情報のコンテンツをサイネージ端末１０３で表示している時に、コンテンツＣ２またはコンテンツＣ４の表示内容を更新する場合を説明している。コンテンツＣ２またはコンテンツＣ４が表示されている間に、入力装置１０１の変更指示部１０４のマイクから音声による変更指示を行う。具体的には、コンテンツＣ２またはコンテンツＣ４の「イチオシ商品」の表示を「本日のおすすめはこれ」に変更する。
【００４０】
図１０は、本実施の形態に係る広告情報のコンテンツの更新の処理を簡単に説明する図である。コンテンツＣ２またはコンテンツＣ４が表示されている間に、入力装置１０１の変更指示部１０４のマイクから音声で変更指示「本日のおすすめはこれ」を入力する。送信部１０５は、入力された変更指示「本日のおすすめはこれ」をサイネージサーバ１０２へ送信する。サイネージサーバ１０２は、変更指示に対応するコンテンツＩＤを特定し、特定したコンテンツＩＤが利用しているテンプレートを特定する。また、音声による変更指示をテキストに変換する。テンプレートが利用しているテキスト用の項目と、キーワードを対応づけた、後述するキーワードテーブルを用いて、テキストに変換した変更指示と合致するキーワードを検索し、合致したキーワードに対するテキスト用の項目を特定する。変更するコンテンツＩＤに対して、特定したテキスト用の項目をテキストに変換した変更指示の内容に更新する。具体的には、対応するコンテンツＣ２またはコンテンツＣ４のコンテンツＩＤは「１０１」であり、利用しているテンプレートはテンプレート「ｔｅ１２」である。キーワードテーブルと合致するキーワードは、「おすすめ」であり、対応するテキスト用の項目は、「タイトル」である。コンテンツＩＤ「１０１」のテキスト用の項目「タイトル」に対応するテキスト「イチオシ商品」を「本日のおすすめはこれ」に更新する。
【００４１】
入力装置１０１が、サイネージサーバ１０２へ変更指示を送信してサイネージ端末１０３の広告情報のコンテンツを更新するためには、入力装置１０１は、サイネージサーバ１０２へ、どのサイネージ端末１０３の表示を更新したいのかを伝える必要がある。そのため、入力装置１０１は、サイネージ端末１０３を識別するための機器ＩＤを、サイネージサーバ１０２へ変更指示の前または同時に送信する必要がある。入力装置１０１は、あらかじめサイネージ端末１０３の機器ＩＤを取得している必要がある。
【００４２】
入力装置１０１における、サイネージ端末１０３の機器ＩＤの取得方法としては、サイネージ端末１０３から無線ＬＡＮの機能の一つである機器同士が一対一で直接通信するＷｉ−Ｆｉ  Ｄｉｒｅｃｔ（登録商標）を用いたり、赤外線通信を用いたり、これ以外の無線機能等を用いて、サイネージ端末１０３の機器ＩＤを入手する。機器ＩＤの取得方法は何でもよく、これに限定されない。
【００４３】
コンテンツＣ２またはコンテンツＣ４が表示されている間に、入力装置１０１の変更指示部１０４のマイクから音声による変更指示「本日のおすすめはこれ」を入力する。
【００４４】
入力装置１０１の送信部１０５は、音声による変更指示である「本日のおすすめはこれ」という入力情報とサイネージ端末１０３を特定する機器ＩＤと入力時間をサイネージサーバ１０２に送信する。入力時間は、入力開始時刻と入力終了時刻の組である。
【００４５】
なお、機器ＩＤは変更指示と同時でなくてもよく、変更指示の前に送信してもよい。
【００４６】
サイネージサーバ１０２の受信部１０６は、音声による変更指示である「本日のおすすめはこれ」という入力情報と入力時間と機器ＩＤを受信する。受信部１０６は、入力時間と機器ＩＤをコンテンツ特定部１０７へ送り、音声による変更指示である「本日のおすすめはこれ」という入力情報を認識処理部１０８へ送る。
【００４７】
図１１は、本実施の形態に係るコンテンツ特定部１０７の処理を示すフローチャートである。
【００４８】
（Ｓ１１０１）コンテンツ特定部１０７は、送信された機器ＩＤと入力時間からコンテンツＤＢ１１５で管理されているコンテンツのうち合致する機器ＩＤ６０１を特定する。
【００４９】
（Ｓ１１０２）コンテンツ特定部１０７は、特定された機器ＩＤ６０１と入力時間から対応するプレイリスト６０２を特定する。
【００５０】
（Ｓ１１０３）コンテンツ特定部１０７は、特定されたプレイリスト６０２のコンテンツの開始時間と継続時間を取得する。
【００５１】
（Ｓ１１０４）コンテンツ特定部１０７は、コンテンツの開始時間と継続時間と送信された入力時間を比較し、入力時間がコンテンツの表示時間内の場合（Ｙｅｓの場合）、Ｓ１１０５へ進む。入力時間がコンテンツの表示時間外の場合（Ｎｏの場合）、Ｓ１１０３へ戻って、次のコンテンツに対して処理を行う。
【００５２】
（Ｓ１１０５）コンテンツ特定部１０７は、更新対象となるコンテンツＩＤを特定する。図１０において、特定されたコンテンツＩＤは「１０１」である。コンテンツ特定部１０７は、更新箇所特定部１０９へ特定したコンテンツＩＤ「１０１」を送る。
【００５３】
認識処理部１０８では、送信された音声による変更指示である「本日のおすすめはこれ」という入力情報を音声認識し、テキスト情報「本日のおすすめはこれ」に変換する。認識処理部１０８は、更新箇所特定部１０９へテキスト情報「本日のおすすめはこれ」を送る。
【００５４】
図１２は、本実施の形態に係る更新箇所特定部１０９の処理を示すフローチャートである。
【００５５】
（Ｓ１２０１）更新箇所特定部１０９は、コンテンツ特定部１０７が特定したコンテンツＩＤ「１０１」から、コンテンツＩＤ「１０１」が利用しているテンプレート「ｔｅ１２」を特定する。特定したテンプレート「ｔｅ１２」は、テンプレートＤＢ１１３の「電器店の広告」用のテンプレート４０１であることがわかる。
【００５６】
図１３は、本実施の形態に係るキーワードテーブル１１７を示す図である。キーワードテーブル１１７は、業種別ＤＢ１１４の広告情報の種別ごとに、テンプレートで利用できるテキスト用の項目に対して、業種別の広告情報で使われるキーワードを対応づけたテーブルである。広告情報の種類は、業種別ＤＢ１１４で定義されている広告情報の種別に対応している。そのため、キーワードテーブル１１７は、「電器店の広告」用のテーブル１３０１、「オフィス掲示板」用のテーブル１３０２、「会議室案内」用のテーブル１３０３を含んでいる。「電器店の広告」用のテーブル１３０１は、テキスト用の項目「タイトル」に対して、キーワード「商品」、「おすすめ」、「イチオシ」「本日」が対応し、テキスト用の項目「価格」に対して、キーワード「円」、「お値段」、「お尋ね」が対応し、テキスト用の項目「商品名」に対し、キーワード「エコボルト」、「ルナエックス」が対応し、テキスト用の項目「商品説明」に対し、キーワード「登場」、「人気」、「モデル」、「これ」、「限定」が対応している。「オフィス掲示板」用のテーブル１３０２は、テキスト用の項目「タイトル」に対して、キーワード「重要」、「件」、「通達」が対応し、テキスト用の項目「掲載日」に対して、キーワード「日」が対応し、テキスト用の項目「連絡事項」に対し、キーワード「皆様」、「以上」、「ご注意」が対応している。「会議室案内」用のテーブル１３０３は、テキスト用の項目「タイトル」に対して、キーワード「お知らせ」、「案内」が対応し、テキスト用の項目「日時」に対して、キーワード「日」が対応し、テキスト用の項目「場所」に対し、キーワード「会議室」、「応接室」、「大ホール」が対応し、テキスト用の項目「議題」に対し、キーワード「プレゼン」、「議決」が対応している。
【００５７】
更新箇所特定部１０９において、特定したテンプレート「ｔｅ１２」は、テンプレートＤＢ１１３の「電器店の広告」用のテンプレート４０１であるので、このテンプレートに対応するテーブルは、「電器店の広告」のテンプレート４０１となる。
【００５８】
（Ｓ１２０２）更新箇所特定部１０９は、「電器店の広告」用のテキスト情報「本日のおすすめはこれ」が、「電器店の広告」のテンプレート４０１のどのキーワードに含まれているかを検索する。「電器店の広告」のテンプレート４０１には、キーワード「おすすめ」、「本日」、「これ」が含まれている。
【００５９】
（Ｓ１２０３）「電器店の広告」のテンプレート４０１において、キーワード「おすすめ」と「本日」のテキスト用の項目は「タイトル」であり、キーワード「これ」のテキスト用の項目は「商品説明」である。抽出したキーワードのうち、２つがテキスト用の項目が「タイトル」で、１つが「商品説明」である。更新箇所特定部１０９は、キーワードに合致したテキスト用の項目の数の多いほうを採用して、変更する箇所を、テキスト用の項目「タイトル」であると特定する。更新箇所特定部１０９は、特定したコンテンツＩＤ「１０１」、テキスト情報「本日のおすすめはこれ」、テキスト用の項目「タイトル」を更新部１１０に送る。
【００６０】
なお、更新箇所特定部１０９における、テキスト用の項目の特定は、テキスト情報に含まれるキーワードに対するテキスト用の項目の数で決定したが、これに限らない。例えば、テキスト用の項目に変更の頻度を考慮して、重みづけをしてもよい。具体的には、「商品説明」＞「価格」＞「タイトル」＞「商品名」のように重みづけを決め、テキスト情報「本日のおすすめはこれ」に対して、「電器店の広告」のテンプレート４０１において、キーワード「おすすめ」と「本日」のテキスト用の項目は「タイトル」であり、キーワード「これ」のテキスト用の項目は「商品説明」である。テキスト用の項目「タイトル」と「商品説明」では、「商品説明」のほうが高い重みづけであるので、テキスト用の項目「商品説明」であると特定する。
【００６１】
図１４は、本実施の形態に係る更新部１１０の処理を示すフローチャートである。
【００６２】
（Ｓ１４０１）更新部１１０は、更新箇所特定部１０９から取得したコンテンツＩＤ「１０１」から、コンテンツＤＢ１１５に含まれるプレイリスト６０２の中から更新するコンテンツＩＤ「１０１」を特定する。
【００６３】
（Ｓ１４０２）更新箇所特定部１０９は、特定したコンテンツＩＤ「１０１」に対して、更新箇所特定部１０９から取得したテキスト情報「本日のおすすめはこれ」、テキスト用の項目「タイトル」から、コンテンツＩＤ「１０１」のテキスト用の項目「タイトル」の「イチオシ商品」を「本日のおすすめはこれ」に変更する。
【００６４】
（Ｓ１４０３）更新部１１０は、更新したコンテンツＩＤ「１０１」をコンテンツＤＢ１１５に登録し、コンテンツＤＢ１１５を更新するとともに、スケジュール管理部１１２へコンテンツＩＤ「１０１」が更新された旨を通知する。
【００６５】
スケジュール管理部１１２は、更新部１１０よりコンテンツＩＤ「１０１」が更新された旨の通知を受けると、更新したコンテンツを配信する指示を配信部１１１へ送る。サイネージ端末１０３の特定は、コンテンツＤＢ１１５の更新対象となるコンテンツに対応する機器ＩＤ６０１を用いる。配信部１１１は、配信を行う際に、機器管理ＤＢ１１６の機器ＩＤに対応するＩＰアドレスとＭＡＣアドレスを用いて配信先のサイネージ端末１０３を特定する。
【００６６】
配信部１１１から配信されるコンテンツをサイネージ端末１０３が受信し、それを表示部１１８で表示する処理は、図８で説明した通りである。  なお、本実施の形態では、認識処理部１０８をサイネージサーバ１０２の構成として説明したが、入力装置１０１の機能であってもよく、入力装置１０１において、音声情報をテキスト情報に変換した後、送信部１０５が、サイネージサーバ１０２の受信部１０６にテキスト情報を送信してもよい。
［１―５．効果］
以上のように、本開示の入力装置１０１は、サイネージ端末１０３のコンテンツの表示に連動してコンテンツの変更を行う入力装置１０１であって、サイネージ端末１０３に表示されているコンテンツに対して変更指示を入力する変更指示部１０４と、
サイネージ端末１０３を特定する機器ＩＤと変更指示とを送信する送信部１０５と、を備え、本開示のサイネージサーバ１０２は、サイネージ端末１０３のコンテンツの表示に連動して、入力装置１０１のサイネージ端末１０３に表示されているコンテンツに対する変更指示を制御するサイネージサーバ１０２であって、入力装置１０１からサイネージ端末１０３を特定する機器ＩＤと変更指示を受信する受信部１０６と、機器ＩＤと変更指示から、変更対象となるコンテンツを特定するコンテンツ特定部１０７と、変更指示に基づいて、コンテンツ特定部１０７で特定したコンテンツに対して、変更箇所を特定する更新箇所特定部１０９と、変更箇所に基づいてコンテンツを変更する更新部１１０と、変更したコンテンツを送信する配信部１１１と、を備える。さらに、本開示のサイネージサーバ１０２は、項目とキーワードを対応づけたキーワードテーブル１１７をさらに備え、コンテンツは、配置領域と配置領域に配置する項目で定義されるテンプレートで構成され、更新箇所特定部１０９は、キーワードテーブル１１７のキーワードの中から変更指示に合致するキーワードを特定し、対応する項目を決定することで、コンテンツ特定部１０７で特定したコンテンツに対して、変更箇所を特定する。
【００６７】
これにより、サイネージ端末１０３の表示されているコンテンツを変更したい場合に、店舗従業員は入力装置１０１を起動し、変更指示部１０４で更新したい内容を入力するだけで、どのコンテンツのどの内容を更新したいかを指定することなく、手間をかけずに広告情報を更新することができる。
【００６８】
さらに、本開示のサイネージサーバ１０２は、変更指示は、音声であり、変更指示をテキスト情報に変換する認識処理部１０８を、さらに備える。
【００６９】
店舗従業員は、マイクにより変更指示を変更指示部１０４から入力することで、どのコンテンツのどの内容を更新したいかを指定することなく、手間をかけずに広告情報を更新することができる。
【００７０】
＜実施の形態２＞
以下、本開示に係るサイネージシステム１００における広告情報の変更に対する実施の形態２について説明する。
［２―１．広告情報の更新］
図１５は、本実施の形態に係る広告情報のコンテンツの更新を説明する図である。本実施の形態は、実施の形態１に対して、広告情報のデータ構造が異なる。また、入力装置１０１の変更指示部１０４は、変更指示を入力装置１０１が備えるカメラ機能にて撮影した画像データを追加して送付する点が異なる。
【００７１】
図１５は、広告情報のコンテンツをサイネージ端末１０３で表示している時に、例えば、コンテンツＣ６の表示内容を更新する場合を説明している。コンテンツＣ６が表示されている間に、入力装置１０１の変更指示部１０４のマイクから音声による変更指示を行う。この変更指示に画像データを合わせて送付する。具体的には、コンテンツＣ６の「デジタルカメラＬｕｎａＸ」の表示を「ＬｕｎａＸ２」に変更するとともに、デジタルカメラの画像を変更する変更指示を行う。
【００７２】
図１６は、本実施の形態に係る広告情報のコンテンツの更新の処理を簡単に説明する図である。コンテンツＣ６が表示されている間に、入力装置１０１の変更指示部１０４のマイクから音声で変更指示「ＬｕｎａＸ２」を入力すると共に、カメラ機能を用いて撮影したデジタルカメラの画像データ「ＬｕｎａＸ２．ｊｐｇ」として保存する。送信部１０５は、入力された変更指示「ＬｕｎａＸ２」と画像データ「ＬｕｎａＸ２．ｊｐｇ」をサイネージサーバ１０２へ送信する。
【００７３】
ここで、コンテンツＣ６のデータ構造について説明する。コンテンツＣ６は、図１６の左下に示すように、コンテンツＩＤは「１０３」でｔｅｍｐｌａｔｅ＿ｉｄが「ｔｅ１３」のテンプレートが利用されている。テンプレートは、配置領域を示す矩形と、矩形の中のテキスト用の項目や画像用の項目で構成されている。テンプレート「ｔｅ１３」は、「タイトル」、「商品説明」、「価格」、「商品」、「商品名」の配置領域がある。テンプレート「ｔｅ１３」の矩形の中に示された種類のうち、テキスト用の項目は、業種別ＤＢ１１４で管理されている。「電器店の広告」で利用できるテキスト用の項目として、タイトル、挨拶、商品名、商品説明、価格がテキスト用の項目として管理されている。テンプレート「ｔｅ１３」のうち、「タイトル」、「商品説明」、「商品名」、「価格」が示されている矩形はテキスト用であり、それ以外の「商品」はテキスト以外で画像用である。実施の形態１と異なる点は、テキスト用の項目として管理されている「商品名」に画像用の項目である「商品」が対応づけられ、組で管理されている点である。
【００７４】
コンテンツＩＤ「１０３」は、テンプレート「ｔｅ１３」の矩形の中に示された項目「タイトル」に対してテキスト「イチオシ商品」が対応づけられており、項目「商品説明」に対してテキスト「人気モデル！」が対応づけられており、項目「商品名」に対してテキスト「デジタルカメラＬｕｎａＸ」が対応づけられており、項目「価格」に対してテキスト「特価￥２２，３００」が対応づけられており、項目「商品」に対して画像「ＬｕｎａＸ．ｊｐｇ」が対応づけられて定義されている。
【００７５】
サイネージサーバ１０２は、変更指示に対応するコンテンツＩＤを特定し、特定したコンテンツＩＤが利用しているテンプレートを特定する。また、音声による変更指示をテキストに変換する。テンプレートが利用しているテキスト用の項目と、キーワードを対応づけた、キーワードテーブルを用いて、テキストに変換した変更指示と合致するキーワードを検索し、合致したキーワードに対するテキスト用の項目を特定する。変更するコンテンツＩＤに対して、特定したテキスト用の項目をテキストに変換した変更指示の内容に更新する。テキスト用の項目に画像用の項目が組で管理されている場合には、画像用の項目も変更指示の内容に更新する。具体的には、コンテンツＣ６のコンテンツＩＤは「１０３」であり、利用しているテンプレートはテンプレート「ｔｅ１３」である。キーワードテーブルと合致するキーワードは、「ルナエックス」であり、対応するテキスト用の項目は、「商品名」である。テキストの項目「商品名」は画像の項目「商品」が組で管理されている。コンテンツＩＤ「１０３」のテキスト用の項目「商品名」に対応するテキスト「デジタルカメラＬｕｎａＸ」を「ＬｕｎａＸ２」に更新すると共に画像用の項目「商品」に対応する画像データ「ＬｕｎａＸ．ｊｐｇ」を「ＬｕｎａＸ２．ｊｐｇ」に更新する。
［２―２．効果］
以上のように、本開示のサイネージサーバ１０２は、変更指示は、音声と画像データであり、変更指示の音声をテキスト情報に変換する認識処理部１０８を、さらに備え、テンプレートは、第１の配置領域と第１の配置領域に配置するテキスト用の項目と、第２の配置領域と第２の配置領域に配置する画像用の項目との組で構成され、更新箇所特定部１０９は、キーワードテーブル１１７のキーワードの中から認識処理部１０８で変換したテキストと合致するキーワードを特定し、対応するテキスト用の項目を決定し、コンテンツ特定部１０７で特定したコンテンツに対して、変更箇所を特定する。
【００７６】
これにより、画像とテキストを対応付けたテンプレートを定義することにより、複数の画像が表示されるコンテンツにおいて、どの画像を更新するかを指定しなくても画像の更新を、手間をかけずに行うことができる。
【００７７】
なお、本実施の形態では、変更指示として、入力装置１０１が備えるカメラ機能にて撮影した画像データを追加して送付するものとして説明したが、入力装置１０１に記憶されている画像データを用いてもよい。
【００７８】
＜実施の形態３＞
以下、本開示に係るサイネージシステム１００における広告情報の変更に対する実施の形態３について説明する。
［３―１．広告情報の更新］
図１７は、本実施の形態に係る広告情報のコンテンツの更新を説明する図である。本実施の形態は、実施の形態１に対して、広告情報のデータ構造が異なる。また、入力装置１０１の変更指示部１０４は、カメラ機能にて撮影した画像データ用いた変更指示の機能をさらに備える点で異なる。さらに、サイネージサーバ１０２の更新箇所特定部１０９は、更新するコンテンツＩＤ「１０１」の特定手順が異なる。
【００７９】
図１７は、広告情報のコンテンツをサイネージ端末１０３で表示している時に、例えば、コンテンツＣ７の表示内容を更新する場合を説明している。コンテンツＣ７が表示されている間に、入力装置１０１の変更指示部１０４のカメラで撮影した画像データを用いた変更指示を行う。具体的には、コンテンツＣ６の「社長」の画像の表示を別の「社長」の画像に変更する変更指示を行う。変更する画像データが、「Ｓｔａｆｆ０２．ｊｐｇ」であり、この画像データにはタグ「顔」が含まれている。
【００８０】
図１８は、本実施の形態に係る広告情報のコンテンツの更新の処理を簡単に説明する図である。コンテンツＣ７が表示されている間に、入力装置１０１の変更指示部１０４のカメラ機能を用いて撮影した画像データを用いて変更指示「Ｓｔａｆｆ０２．ｊｐｇ」を行う。送信部１０５は、入力された変更指示「Ｓｔａｆｆ０２．ｊｐｇ」をサイネージサーバ１０２へ送信する。
【００８１】
ここで、コンテンツＣ７のデータ構造について説明する。コンテンツＣ７は、図１８の左下に示すように、コンテンツＩＤは「１０４」でｔｅｍｐｌａｔｅ＿ｉｄが「ｔｅ１４」のテンプレートが利用されている。テンプレートは、配置領域を示す矩形と、矩形の中のテキスト用の項目や画像用の項目で構成されている。テンプレート「ｔｅ１４」は、「タイトル」、「スタッフ写真」、「スタッフ名」、「商品説明」、「商品写真」の配置領域がある。テンプレート「ｔｅ１４」の矩形の中に示された種類のうち、画像用の項目は、業種別ＤＢ１１４で管理される。「電器店の広告」で利用できる画像用の項目として、スタッフ写真、商品説明、が画像用の項目として管理されている。テンプレート「ｔｅ１４」のうち、「スタッフ写真」、「商品写真」が示されている矩形は画像用であり、それ以外の「タイトル」、「スタッフ名」、「商品説明」は画像以外でテキスト用である。実施の形態１と異なる点は、業種別ＤＢ１１４で管理される項目は、画像用の項目である点である。
【００８２】
コンテンツＩＤ「１０４」は、テンプレート「ｔｅ１４」の矩形の中に示された項目「タイトル」に対してテキスト「パナ社員スタッフのおすすめ商品」が対応づけられており、項目「商品説明」に対してテキスト「テレビがお買い得！」が対応づけられており、項目「スタッフ写真」に対して画像「Ｓｔａｆｆ０２．ｊｐｇ」が対応づけられており、項目「スタッフ名」に対してテキスト「社長」が対応づけられており、項目「商品写真」に対して画像「ＴＶ．ｊｐｇ」が対応づけられて定義されている。
【００８３】
キーワードテーブルは、広告情報の種別ごとに、テンプレートで利用できる画像用の項目に対して、業種別の広告情報で使われるキーワードを対応づけたテーブルである。図１８で利用するキーワードテーブルは、「電器店の広告」用のテーブルである。「電器店の広告」用のテーブルは、画像用の項目「スタッフ写真」に対して、キーワード「人」、「顔」が対応し、画像用の項目「商品写真」に対して、キーワード「テレビ」、「カメラ」が対応している。
【００８４】
サイネージサーバ１０２は、変更指示に対応するコンテンツＩＤを特定し、特定したコンテンツＩＤが利用しているテンプレートを特定する。テンプレートが利用している画像用の項目と、キーワードを対応づけた、キーワードテーブルを用いて、変更指示である画像データに含まれるタグと合致するキーワードを検索し、合致したキーワードに対する画像用の項目を特定する。変更するコンテンツＩＤに対して、特定した画像用の項目を変更指示の画像データに更新する。具体的には、コンテンツＣ７のコンテンツＩＤは「１０４」であり、利用しているテンプレートはテンプレート「ｔｅ１４」である。キーワードテーブルと合致するキーワードは、「顔」であり、対応する画像用の項目は、「スタッフ写真」である。コンテンツＩＤ「１０４」の画像用の項目「スタッフ写真」に対応する画像データ「Ｓｔａｆｆ０１．ｊｐｇ」を「Ｓｔａｆｆ０２．ｊｐｇ」に更新する。
［３―２．効果］
以上のように、本開示のサイネージサーバ１０２は、変更指示は、画像データであり、画像データはタグを含み、更新箇所特定部１０９は、キーワードテーブル１１７のキーワードの中からからタグと合致するキーワードを特定し、対応する項目とを決定することで、コンテンツ特定部１０７で特定したコンテンツに対して、変更箇所を特定する。
【００８５】
これにより、店舗従業員は入力装置１０１を起動し、カメラなどの変更指示部１０４で更新したい画像データを撮影するだけで、どのコンテンツのどの内容を更新したいかを指定することなく、手間をかけずに広告情報を更新することが可能となる。
【００８６】
なお、変更指示用の画像データは、カメラで撮影した画像データとしているが、入力装置１０１の記憶領域に蓄積された画像データを用いてもよい。
【００８７】
＜実施の形態４＞
以下、本開示に係るサイネージシステム１００における広告情報の変更に対する実施の形態４について説明する。
［４―１．広告情報の更新］
実施の形態１において、更新箇所特定部１０９における、テキスト用の項目の特定は、テキスト情報に含まれるキーワードに対するテキスト用の項目の数で決定するように構成したが、本実施の形態では、テキスト用の項目の数で決定するだけではなく、テキスト用の項目に変更の頻度を考慮して、重みづけを行って決定するかを、店舗従業員が選択できるようにする。
【００８８】
図１９は、本実施の形態に係る広告情報のコンテンツの更新を説明する図である。
【００８９】
図１９は、広告情報のコンテンツをサイネージ端末１０３で表示している時に、例えば、コンテンツＣ２またはコンテンツＣ４の表示内容を更新する場合を説明している。コンテンツＣ２またはコンテンツＣ４が表示されている間に、入力装置１０１の変更指示部１０４のマイクから音声による変更指示を行う。サイネージサーバ１０２は、コンテンツＣ２またはコンテンツＣ４の「イチオシ商品」の表示を「本日のおすすめはこれ」に変更するか、コンテンツＣ２またはコンテンツＣ４の「人気モデル！」の表示を「本日のおすすめはこれ」に変更するかを店舗従業員が選択できるようにする。
［４―２．効果］
以上のように、本開示のサイネージサーバ１０２は、更新箇所特定部１０９は、コンテンツ特定部１０７で特定したコンテンツに対して、複数の変更箇所の候補を抽出し、入力装置１０１に複数の変更箇所の候補から１つを特定するための確認を行う。
【００９０】
これにより、更新箇所を１つに特定せず、店舗従業員に候補を表示して選択させることで、誤判断を低減することができる。
【産業上の利用可能性】
【００９１】
本開示の入力装置は、サイネージデータ編集、および、サイネージデータ更新機能を有する機器に広く適用することができる。
【符号の説明】
【００９２】
１００  サイネージシステム
１０１  入力装置
１０２  サイネージサーバ
１０３  サイネージ端末
１０４  変更指示部
１０５  送信部
１０６  受信部
１０７  コンテンツ特定部
１０８  認識処理部
１０９  更新箇所特定部
１１０  更新部
１１１  配信部
１１２  スケジュール管理部
１１３  テンプレートＤＢ
１１４  業種別ＤＢ
１１５  コンテンツＤＢ
１１６  機器管理ＤＢ
１１７  キーワードテーブル
１１８  表示部
４０１、４０２、４０３  テンプレート
５０１、５０２、５０３  テキスト用の項目
６０１  機器ＩＤ
６０２  プレイリスト
１３０１、１３０２、１３０３  テーブル
【図１】
2015088170.tif 000003
【図２】
2015088170.tif 000004
【図３】
2015088170.tif 000005
【図４】
2015088170.tif 000006
【図５】
2015088170.tif 000007
【図６】
2015088170.tif 000008
【図７】
2015088170.tif 000009
【図８】
2015088170.tif 000010
【図９】
2015088170.tif 000011
【図１０】
2015088170.tif 000012
【図１１】
2015088170.tif 000013
【図１２】
2015088170.tif 000014
【図１３】
2015088170.tif 000015
【図１４】
2015088170.tif 000016
【図１５】
2015088170.tif 000017
【図１６】
2015088170.tif 000018
【図１７】
2015088170.tif 000019
【図１８】
2015088170.tif 000020
【図１９】
2015088170.tif 000021